【手続補正書】
【提出日】平成30年8月3日(2018.8.3)
【手続補正１】
【補正対象書類名】特許請求の範囲
【補正対象項目名】全文
【補正方法】変更
【補正の内容】
【特許請求の範囲】
【請求項１】
入射光束を互いに異なった少なくとも第１色光の光束、第２色光の光束、および第３色光の光束に分割し、該３つの光束を３つの撮像素子にそれぞれ導光する色分解光学系であって、
第１入射面より入射した光束のうち前記第１色光の光束を反射し、前記第２色光の光束と前記第３色光の光束とを透過する第１ダイクロイック膜を施した第１反射面を有する第１プリズムと、前記第１反射面とは空隙を介して対向する第２入射面より入射した光束を第２射出面より射出する第２プリズムと、前記第２プリズムの前記第２射出面より射出した光束を第３入射面より入射し、該第３入射面から入射した光束を第３射出面より射出する第３プリズムと、前記第２プリズムの前記第２射出面と前記第３プリズムの前記第３入射面との間に配置した前記第２色光の光束を吸収する吸収フィルタとを有し、
前記第３プリズムの前記第３入射面または前記吸収フィルタの前記第３入射面とは対向する面には、前記第２色光の光束を反射し、前記第３色光の光束を透過する第２ダイクロイック膜が施されていることを特徴とする色分解光学系。
【請求項２】
前記第１色光は青色光であり、前記第２色光は赤色光であり、前記第３色光は緑色光であることを特徴とする請求項１に記載の色分解光学系。
【請求項３】
前記第２プリズムの前記第２入射面より入射した光束のうち前記第２色光の光束は、前記第２プリズムの前記第２射出面より射出し、前記吸収フィルタを通過し、前記第２ダイクロイック膜が施されている、前記第３プリズムの前記第３入射面または該第３入射面とは対向する前記吸収フィルタの面で反射し、前記吸収フィルタを通過し、前記第２射出面から前記第２プリズムに入射し、前記第２プリズムの前記第２入射面で全反射して該第２プリズムより射出し、前記３つの撮像素子のうち前記第２色光の光束に対応する撮像素子に入射することを特徴とする請求項１又は２に記載の色分解光学系。
【請求項４】
前記吸収フィルタは、色温度補正作用を有することを特徴とする請求項１乃至３のうちいずれか１項に記載の色分解光学系。
【請求項５】
前記吸収フィルタは、前記緑色光の透過率が前記赤色光の透過率より高くなるように構成されていることを特徴とする請求項２に記載の色分解光学系。
【請求項６】
前記吸収フィルタは、前記青色光の透過率が前記赤色光の透過率より高くなるように構成されていることを特徴とする請求項５に記載の色分解光学系。
【請求項７】
請求項１乃至６のうちいずれか１項に記載の色分解光学系と、
前記３つの撮像素子と、
を有することを特徴とする撮像装置。
【手続補正２】
【補正対象書類名】明細書
【補正対象項目名】００１０
【補正方法】変更
【補正の内容】
【００１０】
本発明は、例えば、撮像素子の入射面で反射した光束によるゴーストの軽減に有利な色分解光学系の提供を目的とする。
【手続補正３】
【補正対象書類名】明細書
【補正対象項目名】００１１
【補正方法】変更
【補正の内容】
【００１１】
本発明の色分解光学系は、入射光束を互いに異なった少なくとも第１色光の光束、第２色光の光束、および第３色光の光束に分割し、該３つの光束を３つの撮像素子にそれぞれ導光する色分解光学系であって、
第１入射面より入射した光束のうち前記第１色光の光束を反射し、前記第２色光の光束と前記第３色光の光束とを透過する第１ダイクロイック膜を施した第１反射面を有する第１プリズムと、前記第１反射面とは空隙を介して対向する第２入射面より入射した光束を第２射出面より射出する第２プリズムと、前記第２プリズムの前記第２射出面より射出した光束を第３入射面より入射し、該第３入射面から入射した光束を第３射出面より射出する第３プリズムと、前記第２プリズムの前記第２射出面と前記第３プリズムの前記第３入射面との間に配置した前記第２色光の光束を吸収する吸収フィルタとを有し、
前記第３プリズムの前記第３入射面または前記吸収フィルタの前記第３入射面とは対向する面には、前記第２色光の光束を反射し、前記第３色光の光束を透過する第２ダイクロイック膜が施されていることを特徴としている。
【手続補正４】
【補正対象書類名】明細書
【補正対象項目名】００１２
【補正方法】変更
【補正の内容】
【００１２】
本発明によれば、例えば、撮像素子の入射面で反射した光束によるゴーストの軽減に有利な色分解光学系が得られる。
【手続補正５】
【補正対象書類名】明細書
【補正対象項目名】００１４
【補正方法】変更
【補正の内容】
【００１４】
以下に、本発明の好ましい実施の形態を、添付の図面に基づいて詳細に説明する。本発明の色分解光学系は、入射光束を互いに異なった少なくとも第１色光の光束、第２色光の光束、および第３色光の光束に分割し、該３つの光束を３つの撮像素子にそれぞれ導光する。
【手続補正６】
【補正対象書類名】明細書
【補正対象項目名】００１５
【補正方法】変更
【補正の内容】
【００１５】
色分解光学系は第１入射面より入射した光束のうち第１色光の光束を反射し、第２色光の光束と第３色光の光束とを透過する第１ダイクロイック膜を施した第１反射面を有する第１プリズムを有する。１反射面とは空隙を介して対向する第２入射面より入射した光束を第２射出面より射出する第２プリズムを有する。
【手続補正７】
【補正対象書類名】明細書
【補正対象項目名】００１６
【補正方法】変更
【補正の内容】
【００１６】
さらに第２プリズムの第２射出面より射出した光束を第３入射面より入射し、第３入射面から入射した光束を第３射出面より射出する第３プリズムを有する。そして第２プリズムの第２射出面と第３プリズムの第３入射面との間に配置した第２色光の光束を吸収する吸収フィルタを有している。前記第３プリズムの第３入射面または吸収フィルタの第３入射面とは対向する面には、第２色光の光束を反射し、第３色光の光束を透過する第２ダイクロイック膜が施されている。
【手続補正８】
【補正対象書類名】明細書
【補正対象項目名】００１７
【補正方法】変更
【補正の内容】
【００１７】
本発明の色分解光学系において、第２プリズムの第２入射面より入射した光束のうち第２色光の光束は第２プリズムの第２射出面より射出し、吸収フィルタを通過し、第２ダイクロイク膜が施されている第３プリズムの第３入射面または第３入射面とは対向する吸収フィルターの面で反射する。その後、吸収フィルタと第２射出面を通過し、第２プリズム内に入射し、第２プリズムの第２入射面で全反射し、第２プリズムより出射して３つの撮像素子のうちの第２色光の光束に対応する撮像素子に入射する。後述する実施例において、第１色光は青色光であり、第２色光は赤色光であり、第３色光は緑色光である。
【手続補正９】
【補正対象書類名】明細書
【補正対象項目名】００４５
【補正方法】変更
【補正の内容】
【００４５】
図２は、色分解光学系１の総合分光透過率の説明図である。同図における実線は本発明
の色分解光学系１の総合分光透過率である。破線は、図６に示した従来の色分解光学系１
００１の総合分光透過率である。ここで総合分光透過率と述べているのは、色分解光学系
と吸収フィルタ（吸収型）の掛け合わせとしている。図３は、本発明における、吸収フィ
ルタ１２（実線）の分光特性と従来の吸収フィルタ１０１２（破線）の分光特性の説明図
である。図２に示すように、吸収フィルタは、緑色光の透過率が赤色光の透過率より高くなるように構成されている。また、吸収フィルタは、青色光の透過率が赤色光の透過率より高くなるように構成されている。